(57)【特許請求の範囲】
【請求項１】
蓄積型の測光センサと、
前記測光センサの平均的な出力値に基づいて前記測光センサを蓄積制御する第１制御手段と、
前記測光センサの出力の最大値に基づいて前記測光センサを蓄積制御する第２制御手段と、
前記第１制御手段によって蓄積制御された前記測光センサの出力の最大値が前記測光センサの飽和出力レベルを超えた場合は次回の蓄積制御時に前記第２制御手段に蓄積制御させ、前記測光センサの出力の最大値が前記測光センサの飽和出力レベルを超えない場合は次回の蓄積制御時に前記第１制御手段に蓄積制御させるように、前記第１制御手段および前記第２制御手段をそれぞれ制御する蓄積制御手段とを備え、
前記蓄積制御手段は、前記測光センサの出力の最大値が前記測光センサの飽和出力レベルを超え、かつ前記測光センサの出力が前回の蓄積制御時の出力と略等しいことが所定回数繰り返された場合、次回の蓄積制御時に前記第２制御手段に蓄積制御させるように前記第１制御手段および前記第２制御手段をそれぞれ制御することを特徴とする測光装置。
【請求項２】
請求項１に記載の測光装置において、
前記蓄積制御手段は、前記測光センサの出力の最大値が前記測光センサの飽和出力レベルを超え、かつ前記測光センサの出力が前回の蓄積制御時の出力と略等しいことが前記所定回数に満たない、または前記所定回数を超えて繰り返された場合、次回の蓄積制御時に前記第１制御手段に蓄積制御させるように前記第１制御手段および前記第２制御手段をそれぞれ制御することを特徴とする測光装置。
【請求項３】
請求項２に記載の測光装置において、
前記蓄積制御手段は、前記測光センサの出力の最大値が前記測光センサの飽和出力レベルを超え、かつ前記測光センサの出力が前回の蓄積制御時の出力と略等しいことが繰り返される場合、所定回数ごとに、次回の蓄積制御時に前記第２制御手段に蓄積制御させるように前記第１制御手段および前記第２制御手段をそれぞれ制御することを特徴とする測光装置。
【請求項４】
請求項１〜３のいずれか一項に記載の測光装置において、
前記測光センサは、受光面を複数の領域に分割して該領域ごとに前記出力を得るように構成され、
前記蓄積制御手段は、前記測光センサの前回の蓄積制御時の出力と今回の蓄積制御時の出力との間で、対応する出力どうしの差が所定値以下の場合に前記略等しいと判定することを特徴とする測光装置。
【発明の詳細な説明】
【技術分野】
【０００１】
本発明は、カメラの測光装置に関する。
【背景技術】
【０００２】
蓄積型の測光センサを用い、測光センサの出力の最大値が飽和せずに、かつ飽和レベルに近い値をとるように測光センサを蓄積制御する第１の制御と、測光センサの出力の平均的なレベルに基づいて測光センサを蓄積制御する第２の制御とを切替える技術が知られている（特許文献１参照）。
【先行技術文献】
【特許文献】
【０００３】
【特許文献１】特公平４−５７１５２号公報
【発明の概要】
【発明が解決しようとする課題】
【０００４】
たとえば、センサ情報を得るための時間に余裕がなく、いずれか一方の蓄積制御のみを行う場合、どちらの蓄積制御を行ってセンサ情報を得ればよいかが問題となる。
【課題を解決するための手段】
【０００５】
請求項１の発明による測光装置は、蓄積型の測光センサと、前記測光センサの平均的な出力値に基づいて前記測光センサを蓄積制御する第１制御手段と、前記測光センサの出力の最大値に基づいて前記測光センサを蓄積制御する第２制御手段と、前記第１制御手段によって蓄積制御された前記測光センサの出力の最大値が前記測光センサの飽和出力レベルを超えた場合は次回の蓄積制御時に前記第２制御手段に蓄積制御させ、前記測光センサの出力の最大値が前記測光センサの飽和出力レベルを超えない場合は次回の蓄積制御時に前記第１制御手段に蓄積制御させるように、前記第１制御手段および前記第２制御手段をそれぞれ制御する蓄積制御手段とを備え、前記蓄積制御手段は、前記測光センサの出力の最大値が前記測光センサの飽和出力レベルを超え、かつ前記測光センサの出力が前回の蓄積制御時の出力と略等しいことが所定回数繰り返された場合、次回の蓄積制御時に前記第２制御手段に蓄積制御させるように前記第１制御手段および前記第２制御手段をそれぞれ制御することを特徴とする。
【発明の効果】
【０００６】
本発明による撮像装置では、蓄積型の測光センサを用いて適切に情報を得ることができる。
【図面の簡単な説明】
【０００７】
【図１】本発明の一実施の形態による一眼レフ電子カメラの要部構成を説明する図である。
【図２】ボディ側マイコンが行う撮影処理の流れを説明するフローチャートである。
【発明を実施するための形態】
【０００８】
以下、図面を参照して本発明を実施するための最良の形態について説明する。図１は、本発明の一実施の形態による一眼レフ電子カメラの要部構成を説明する図である。図１において、交換レンズ２０がカメラ本体１０に装着されている。交換レンズ２０は、カメラ本体１０に対して着脱可能に構成される。
【０００９】
カメラ本体１０は、ボディ側マイコン２１と、焦点検出部２２と、シャッタ制御部２３と、クイックリターンミラー１１と、焦点板１２と、ペンタダハプリズム１３と、接眼レンズ１５と、レンズ１６と、測光部１７と、撮像素子１８と、シャッタ１９とを有する。交換レンズ２０は、撮影レンズ１と、絞り２と、レンズ駆動部３と、距離検出部４と、絞り制御部５と、レンズ側マイコン６とを有する。交換レンズ２０がカメラ本体１０に装着されると、レンズ側マイコン６およびボディ側マイコン２１間が電気接点７を介して接続される。
【００１０】
ボディ側マイコン２１は、たとえば、レリーズスイッチ（不図示）が半押し操作されると周知の露出演算、周知のオートフォーカス（ＡＦ）演算などを行い、レリーズスイッチ（不図示）が全押し操作されると撮影制御を開始する。ボディ側マイコン２１はさらに、レンズ側マイコン６との間で通信を行う。ボディ側マイコン２１がレンズ側マイコン６へ送信する内容は、ＡＦ演算によって算出したフォーカス調節光学系の移動量、移動方向、および露出演算で算出した絞り２の絞り込み量などである。ここで、フォーカス調節光学系は、撮影レンズ１に含まれる焦点調節用レンズである。
【００１１】
レンズ側マイコン６は、ボディ側マイコン２１との間の通信、フォーカス調節光学系の駆動制御、絞り２の絞り込み制御などを行う。フォーカス調節光学系の移動は、レンズ側マイコン６がボディ側マイコン２１から取得したデータに応じてレンズ駆動部３へ指示を送り、フォーカス調節光学系を光軸方向に進退移動させることによって行う。また、絞り２の絞り込みは、ボディ側マイコン２１から取得したデータに応じて絞り制御部５へ指示を送り、絞り２を絞り込むことによって行う。距離検出部４は、検出装置（不図示）による検出信号を用いて、フォーカス調節光学系の移動距離を示す信号を検出する。フォーカス調節光学系が合焦位置へ移動されると、カメラ本体１０側の撮像素子１８、測光部１７上に主要被写体の尖鋭像が結ばれる。
【００１２】
撮影レンズ１および絞り２を通過してカメラ本体１０に入射した被写体光は、レリーズスイッチの全押し操作前は図示される位置のクイックリターンミラー１１で上方へ導かれて焦点板１２に結像する。被写体光はさらに、ペンタダハプリズム１３へ入射される。ペンタダハプリズム１３は、入射された被写体光を接眼レンズ１５へ導く一方、その一部をレンズ１６へも導く。レンズ１６へ入射された光は測光部１７に入射され、そのセンサ上に被写体像を結像する。
【００１３】
測光部１７は、画素に対応する複数の光電変換素子を備えた測光用イメージセンサ（たとえばＣＣＤイメージセンサ）を有する。測光用イメージセンサは、センサ上に結像されている被写体像を撮像し、被写体像の明るさに応じた光電変換信号をボディ側マイコン２１へ出力する。ボディ側マイコン２１は、測光用イメージセンサから出力される光電変換
信号に基づいて所定の露出演算を行い、制御絞り値および制御シャッタ速度を決定する。
【００１４】
また、一部の被写体光はクイックリターンミラー１１を透過し、サブミラー２０で下方の焦点検出部２２へ導かれる。焦点検出部２２は位相差検出方式によるデフォーカス量検出用のイメージセンサ（たとえば、ＣＣＤイメージセンサ）を有する。デフォーカス量検出用イメージセンサは、センサ上に結像されている被写体像を撮像し、被写体像の明るさに応じた光電変換信号をボディ側マイコン２１へ出力する。ボディ側マイコン２１は、焦点検出部２２から出力される光電変換信号に基づいてＡＦ演算を行い、デフォーカス量を算出する。
【００１５】
具体的には、撮影レンズ１の異なる領域を介して入射された一対のデフォーカス量検出用光束による像であって、それぞれがセンサ上の異なる位置で撮像されている２つの像の相対位置ずれ量（相対間隔）を求める。これら一対の被写体像は、撮影レンズ１が予定焦点面よりも前に被写体の鮮鋭像を結ぶいわゆる前ピン状態では互いに近づき、逆に予定焦点面より後ろに被写体の鮮鋭像を結ぶいわゆる後ピン状態では互いに遠ざかる。予定焦点面において被写体の鮮鋭像を結ぶ合焦状態には、上記一対の像が相対的に一致する。したがって、一対の像の相対位置ずれ量を求めることにより、撮影レンズ１のフォーカス調節状態、すなわちデフォーカス量が得られる。ボディ側マイコン２１は、デフォーカス量に応じてフォーカス調節光学系の進退移動量および移動方向を決定し、必要なデータをレンズ側マイコン６へ送信する。
【００１６】
レリーズスイッチの全押し操作後はクイックリターンミラー１１が光路外へ回動し、被写体光はシャッタ１９を介して撮影用の撮像素子１８へ導かれ、その撮像面上に被写体像を結像する。撮像素子１８は、画素に対応する複数の光電変換素子を備えた撮影用イメージセンサ（たとえば、ＣＣＤイメージセンサ）によって構成される。撮像素子１８は、撮像面上に結像されている被写体像を撮像し、被写体像の明るさに応じた光電変換信号を出力する。
【００１７】
＜領域分割＞
ボディ側マイコン２１は、測光用イメージセンサ（測光部１７）の画素を所定領域ごとにグルーピングし、各領域からの光電変換信号をブロック単位で取り扱う。たとえば、測光範囲を横方向（Ｘ方向）に８ブロック、縦方向（Ｙ方向）に６ブロックの計４８領域に分割する。ボディ側マイコン２１は、各分割領域ごとに、領域内に含まれる画素からの信号をそれぞれ加算し、加算結果を当該領域における測光情報とする。
【００１８】
＜測光センサのダイナミックレンジ＞
ＣＣＤセンサのような蓄積型の測光センサを用いる場合、そのダイナミックレンジは出力の飽和やノイズレベル、Ａ／Ｄ変換分解能などにより制限される。たとえば１０ビット長でＡ／Ｄ変換する場合のダイナミックレンジは、ＥＶ値で７段程度である。この場合、ＥＶ１〜ＥＶ２０の範囲において輝度情報を得るためには、測光部１７から取得しようとする測光情報に応じて測光レンジの切替えを行う。測光レンジの切替は、上述したＣＣＤイメージセンサの電荷蓄積時間Ｔおよび蓄積信号に対する増幅利得（ゲイン）Ｇの少なくとも一方を変化させることによって行う。
【００１９】
通常、測光部１７から露出演算用の輝度情報を得る場合は「ピーク値に基づく蓄積制御」を行い、測光部１７から撮影シーンを解析する（たとえば、構図や光源の状態、逆光状態の判定や、被写体位置の推定等を行う）ための輝度情報を得る場合は「平均値に基づく蓄積制御」を行う。
【００２０】
＜ピーク値に基づく蓄積制御＞
測光部１７に対するピーク値に基づく蓄積制御は、測光情報として最大輝度値を取得したい場合に行う。この蓄積制御によれば、たとえば、人物の背後に太陽が位置する撮影シーンの場合、太陽に対応する画素信号値を最大輝度目標レベルに近づける（最大輝度目標レベルは飽和レベルより低い）ように測光レンジを決めるため、測光部１７から得られる太陽領域に対応する画素信号は飽和しないものの、人物を含む他の領域の画素信号が平均輝度レベルより小さくなる（暗くなったり、黒つぶれしたりする）。
【００２１】
＜平均値に基づく蓄積制御＞
測光部１７に対する平均値に基づく蓄積制御は、測光情報として平均的な輝度値を取得したい場合に行う。この蓄積制御によれば、上述した人物の背後に太陽が位置する撮影シーンの場合、画面内の平均的な画素信号値を平均輝度目標レベルに近づけるように測光レンジを決めるため、測光部１７から得られる太陽領域に対応する画素信号は飽和するものの、人物を含む他の領域の画素信号は平均輝度レベルに近づく。
【００２２】
＜測光センサ制御＞
本実施形態のボディ側マイコン２１は、たとえば連写撮影時のように、測光部１７によって輝度情報を取得するための時間を短くしたい場合、以下のように測光センサ制御を行う。図２は、ボディ側マイコン２１が行う撮影処理の流れを説明するフローチャートである。ボディ側マイコン２１は、 連写撮影を行う撮影モード時にレリーズスイッチ（不図
示）が全押し操作されると、図２による処理を起動する。
【００２３】
図２のステップＳ１０１において、ボディ側マイコン２１は、測光部１７に測光センサ露光（電荷蓄積および蓄積信号の増幅を含む）を行わせてステップＳ１０２へ進む。ステップＳ１０２において、ボディ側マイコン２１は被写体位置推定演算を行ってステップＳ１０３へ進む。
【００２４】
被写体位置推定演算について説明する。測光用イメージセンサ（測光部１７）には、撮影用の撮像素子１８と同様に、その撮像面にＲ（赤）、Ｇ（緑）およびＢ（青）のカラーフィルタが画素位置に対応して設けられている。イメージセンサがカラーフィルタを通して被写体像を撮像するため、測光用イメージセンサから出力される光電変換信号は、ＲＧＢ表色系のいずれかの色情報を有する。
【００２５】
ボディ側マイコン２１は、上述した４８の各分割領域ごとに、領域内に含まれるＲ成分信号、Ｇ成分信号、およびＢ成分信号をそれぞれ加算し、加算結果を当該領域における測光情報とする。ここで、Ｒ成分の測光情報をＲ［X,Y］と表し、Ｇ成分の測光情報をＧ［X,Y］と表し、Ｂ成分の測光情報をＢ［X,Y］と表す。ただし、X＝1〜8、Y＝1〜6である。
【００２６】
本実施形態では、レリーズスイッチ（不図示）が全押し操作前に半押し操作された時点において、あらかじめ測光情報を取得するように構成されている。ボディ側マイコン２１は、半押し操作時に取得済みの測光情報のうち、画面中央の領域（X＝4および5、Y＝3お
よび4）における測光情報とステップＳ１０１における測光センサ露光で得た測光情報と
を比較する。そして、ステップＳ１０１で得た測光情報のうち、半押し操作時点で取得済みの画面中央領域の情報と最も色成分が近い測光情報を取得した分割領域に主要被写体が位置すると推定する。
【００２７】
なお、ステップＳ１０２の実行回数が図２の処理を起動後２回目以降の場合は、レリーズスイッチ（不図示）の半押し操作時点で取得された測光情報の代わりに、前回取得済みの測光情報を用いるとしても良い。この場合、前回取得済みの測光情報のうち、画面中央の領域（X＝4および5、Y＝3および4）における測光情報とステップＳ１０１における測光センサ露光で得た測光情報とを比較する。
【００２８】
ステップＳ１０３において、ボディ側マイコン２１は測光部１７で取得された信号値が飽和しているか否かを判定する。ボディ側マイコン２１は、ステップＳ１０１で取得した測光情報に飽和信号レベルを超える信号値が含まれる場合、ステップＳ１０３を肯定判定してステップＳ１０７へ進む。ボディ側マイコン２１は、ステップＳ１０１で取得した測光情報に飽和信号レベルを超える信号値が含まれない場合には、ステップＳ１０３を否定判定してステップＳ１０４へ進む。
【００２９】
ステップＳ１０４において、ボディ側マイコン２１は測光演算を行ってステップＳ１０５へ進む。たとえば、特開２００６−１０６６１７号公報に開示されているように、分割領域の測光出力を用いた測光アルゴリズムによって画面を代表する輝度値を算出する。この例では特に最大測光値を用いており、測光情報に飽和信号が含まれないことが重要である。本実施形態ではこのようにして求めた輝度値を、画面を代表する輝度値BVremとして
ボディ側マイコン２１内の不揮発性メモリに記憶する。ボディ側マイコン２１はさらに、画面全体（全４８領域）の測光情報を用いて輝度値を算出し、輝度値の平均値BVaveremとしてボディ側マイコン２１内の不揮発性メモリに記憶する。不揮発性メモリに記憶する場合、直近の輝度値BVremおよび平均値BVaveremが保存されるように更新記憶するとよい。
【００３０】
ステップＳ１０５において、ボディ側マイコン２１は、飽和回避処理フラグをリセットしてステップＳ１０６へ進む。飽和回避処理フラグは、後述するステップＳ１０９においてピーク値に基づく蓄積制御を行う際にセットするフラグである。ステップＳ１０６において、ボディ側マイコン２１は、平均値に基づいて決定した測光レンジ（第１蓄積制御）を測光部１７にセットしてステップＳ１１０へ進む。
【００３１】
具体的には、画面全体の画素信号値の平均値Vave=｛Σ(各領域ごとの信号値)｝／（全
画素数）を求め、平均値に基づく測光レンジＧ＊Ｔを、Ｇ＊Ｔ＝(出力目標値)／Vave＊(
今回の測光センサ露光（ステップＳ１０１）時にセットされていたゲイン)＊(今回の測光センサ露光（ステップＳ１０１）時にセットされていた蓄積時間)により決定する。ただ
し、Ｇは次回の測光センサ露光時のゲインであり、Ｔは次回の測光センサ露光時の蓄積時間である。これにより、次回の測光センサ露光時の測光レンジが、画面内の画素信号の平均値を目標レベルに近づけるように決定される。
【００３２】
ステップＳ１０３を肯定判定して進むステップＳ１０７において、ボディ側マイコン２１は、測光情報演算を行ってステップＳ１０８へ進む。具体的には、画面全体（全４８領域）の測光情報から得た輝度値の平均値をBVaveとし、画面を代表する輝度値BVを、BV=BVrem＋BVave−BVaveremにより算出する。なお、ステップＳ１０１で取得した測光情報から得た平均値BVaveは、直近の値が保存されるように不揮発性メモリに更新記憶するとよい。ここで算出する輝度値BVは、信号値が飽和していない場合の画面を代表する輝度値BVremを基準として、直近の測光情報から計算した画面全体の輝度値の平均値BVaveおよび、BVremを算出した時点の画面全体の輝度値の平均値BVaverem間の相対変化分を用いて補完したものである。
【００３３】
ステップＳ１０８において、ボディ側マイコン２１は、構図または光源の状態が所定回数類似しているか否かを判定する。ボディ側マイコン２１は、たとえば、４８の分割領域のうち最も輝度が高い領域の位置とその輝度値を測光センサ露光の度に演算し、ボディ側マイコン２１内の不揮発性メモリに記憶しておく。ボディ側マイコン２１は、最高輝度領域の位置および最高輝度値をそれぞれ前回の測光センサ露光時に演算した値と比較し、それぞれの差が所定範囲内であるとの判定を所定回数（たとえば２回）繰り返した場合にステップＳ１０８を肯定判定してステップＳ１０９へ進む。
【００３４】
ボディ側マイコン２１は、上記繰り返しの回数が２回未満または３回以上の場合、あるいは最高輝度領域の位置、最高輝度値の少なくとも一方の差が上記所定範囲を超える場合にはステップＳ１０８を否定判定し、ステップＳ１０６へ進む。最高輝度領域の位置および最高輝度値が前回の測光センサ露光時から変化しない場合は、構図または画面に含まれる光源の状態が前回の測光センサ露光時と略等しいと考えられる。
【００３５】
なお、ステップＳ１０８の判定を行うボディ側マイコン２１は、飽和回避処理フラグがセットされている場合には、上記繰り返しの回数をカウントすることなく肯定判定するように構成されている。これにより、測光部１７で取得された信号値が飽和している間はピーク値に基づく蓄積制御を継続することができる。
【００３６】
ステップＳ１０９において、ボディ側マイコン２１は、ピーク値に基づいて決定した測光レンジ（第２蓄積制御）を測光部１７にセットする。具体的には、次回の測光センサ露光時のゲインＧまたは次回の測光センサ露光時の蓄積時間Ｔを、今回の測光センサ露光（ステップＳ１０１）時におけるゲインまたは蓄積時間の１／８に変更する。これにより、次回の測光センサ露光時の測光レンジが、画面内の画素信号の最大値を飽和しにくくするように決定される。ボディ側マイコン２１はさらに、飽和回避処理フラグをセットしてステップＳ１１０へ進む。
【００３７】
ステップＳ１１０において、ボディ側マイコン２１は、本画像撮影処理を行ってステップＳ１１１へ進む。具体的には、クイックリターンミラー１１を光路外へ回動させ、ステップＳ１０４またはステップＳ１０７による演算結果に基づく制御絞り値まで絞り２を駆動させ、ステップＳ１０４またはステップＳ１０７による演算結果に基づく制御シャッタ速度に対応する撮影用蓄積時間で撮像素子１８を露光制御する。撮像素子１８による撮像後、クイックリターンミラー１１を光路内へ戻し、絞り２を開放側へ駆動させる。撮像素子１８で取得された画像のデータは、所定の信号処理後に不図示の記録媒体に記録される。
【００３８】
ステップＳ１１１において、ボディ側マイコン２１は連続撮影終了か否かを判定する。ボディ側マイコン２１は、レリーズスイッチ（不図示）からの全押し操作信号が継続して入力されている場合にステップＳ１１１を否定判定してステップＳ１０１へ戻る。この場合は、次コマを撮影するための測光センサ露光（ステップＳ１０１）を行って、上述した処理を繰り返す。一方、ボディ側マイコン２１は、レリーズスイッチ（不図示）からの全押し操作信号が入力されていない場合にはステップＳ１１１を肯定判定し、図２による処理を終了する。
【００３９】
なお、本実施形態のボディ側マイコン２１は、レリーズスイッチ（不図示）から半押し操作信号が入力されている場合、ステップＳ１０６と同様に第１蓄積制御にセットした上で行う測光センサ露光と、ステップＳ１０９と同様に第２蓄積制御にセットした上で行う測光センサ露光とを交互に両方行うように構成されている。したがって、図２の処理がスタートする時点においては、半押し操作時において取得された測光情報がボディ側マイコン２１内の不揮発性メモリに記憶されている。
【００４０】
以上説明した実施形態によれば、次の作用効果が得られる。
（１）ボディ側マイコン２１は、測光部１７が有する蓄積型の測光センサで行う測光情報の取得を、連写撮影時は１コマ撮影につき１回のみ行うようにしたので、２回以上行う場合に比べて連写間隔を短くすることができる。
【００４１】
（２）測光部１７が有する蓄積型の測光センサで取得された信号値が飽和している場合には、次コマ撮影のための測光センサ制御をピーク値に基づく蓄積制御にセットし（ステッ
プＳ１０９）、信号値が飽和していない場合には次コマ撮影のための測光センサ制御を平均値に基づく蓄積制御にセットした（ステップＳ１０６）。これにより、信号値が飽和した場合の次コマ撮影時においては、測光センサで取得される信号値が飽和するおそれを低減させることができる。信号値が飽和しない場合、撮影シーンの解析（被写体位置推定、構図や光源の状態判定、逆光状態などの判定など）に適した測光情報が得られる。
【００４２】
（３）ボディ側マイコン２１は、測光部１７で取得された信号値が飽和しており、構図または光源の状態が所定回数類似していると判定した場合、および飽和回避処理フラグがセット中は、次コマ撮影のための測光センサ制御をピーク値に基づく蓄積制御にセットする（ステップＳ１０９）。これにより、撮影シーンの解析よりも、露出制御のための測光演算や画像処理において階調カーブを決定する演算に適した測光情報を得ることができる。
【００４３】
（４）ボディ側マイコン２１は、構図または光源の状態が所定回数類似していないと判定した場合は、次コマ撮影のための測光センサ制御を平均値に基づく蓄積制御にセットする（ステップＳ１０６）。これにより、露出演算や階調カーブ演算よりも、撮影シーンの解析に適した測光情報を得ることができる。
【００４４】
（５）測光センサで取得された信号値が飽和している場合、画面を代表する輝度値BVを、BV=BVrem＋BVave−BVaveremにより算出するようにした（ステップＳ１０７）。信号値が
飽和していない場合の画面を代表する輝度値BVremを基準として、直近の測光情報から計
算した画面全体の輝度値の平均値BVaveおよび、BVremを計算した時点の画面全体の輝度値BVaverem間の相対変化分を補完的に用いて補正した輝度値BVを算出することにより、測光センサで取得された信号値が飽和している場合であっても、画面を代表する適切な輝度値BVを取得できる。適切な輝度値BVを用いて露出演算を行うことにより、本画像撮影処理（ステップＳ１１０）において露出を適切に制御できる。また、適切な輝度値BVを用いて階調カーブ演算を行えば、高品位の階調特性が得られる。
【００４５】
（６）輝度情報を分割領域ごとに算出したので、画素単位で算出する場合と比べて、信号に含まれているノイズの影響や測光センサに画素欠陥が生じている場合の異常値の影響を受けにくくすることができる。なお、分割領域ごとの輝度平均値を算出する代わりにＧ色成分の信号値の平均値を算出してもよい。
【００４６】
（変形例１）
ステップＳ１０６において求める画面全体の画素信号値の平均値Vaveについて、以下のように算出してもよい。各領域ごとの重みをWait［領域］で表し、たとえば画面中央を１．０、画面周辺を０．５とすれば、中央重点制御に適した値を算出できる。具体的には、Vave=［Σ｛Wait［領域］＊（各領域ごとの信号値)｝］／｛Σ（Wait［領域］）｝を求める。この平均値に基づく測光レンジＧ＊Ｔは、上述した場合と同様に、Ｇ＊Ｔ＝(出力目
標値)／Vave＊(今回の測光センサ露光（ステップＳ１０１）時にセットされていたゲイン)＊(今回の測光センサ露光（ステップＳ１０１）時にセットされていた蓄積時間)により
決定する。
【００４７】
（変形例２）
ステップＳ１０９において決定する次回の測光センサ露光時のゲインＧおよび次回の測光センサ露光時の蓄積時間Ｔについて、以下のように算出してもよい。Ｇ＊Ｔ＝(今回の
測光センサ露光（ステップＳ１０１）時にセットされていたゲイン)＊(今回の測光センサ露光（ステップＳ１０１）時にセットされていた蓄積時間)＊(所定の定数)／(飽和した画素信号数)により決定する。これにより、信号値が飽和している画素数に応じて次回の測
光レンジが低くセットされるため、測光レンジを必要以上に低くセットすることがない。
【００４８】
（変形例３）
ステップＳ１０８において類似判定を行う代わりに、所定回数ごとにステップＳ１０６へ進むように構成してもよい。具体的には、信号値が飽和していれば原則ステップＳ１０９へ進んで第２蓄積制御を行うが、第２蓄積制御を４回繰り返したら次の１回はステップＳ１０６へ進んで第１蓄積制御を行うようにする。これにより、信号値が飽和する状態において原則撮影シーンの解析に適した測光情報を取得しつつ、所定回数に１回は露出演算や階調カーブ演算に適した測光情報を得ることができる。
【００４９】
（変形例４）
ステップＳ１０９において決定する次回の測光センサ露光時のゲインＧおよび次回の測光センサ露光時の蓄積時間Ｔについて、以下のように算出してもよい。Ｇ＊Ｔ＝(今回の
測光センサ露光（ステップＳ１０１）時にセットされていたゲイン)＊(今回の測光センサ露光（ステップＳ１０１）時にセットされていた蓄積時間)＊(ピーク出力目標値)／(測光出力最大値)により決定する。これによりピーク出力が適切な目標値に近づくよう制御す
ることができる。
【００５０】
以上の説明はあくまで一例であり、上記の実施形態の構成に何ら限定されるものではない。
【符号の説明】
【００５１】
１…撮影レンズ
６…レンズ側マイコン
１０…カメラ本体
１７…測光部
１８…撮像素子
２０…交換レンズ
２１…ボディ側マイコン
【図１】
0005672323.tif 000002
【図２】
0005672323.tif 000003